(57)【要約】【課題】なぞり操作がしやすく操作性に優れたスイッチ装置を提供する。【解決手段】複数の操作ノブ２０（２１、２２、２３、２４）と、操作ノブ２０（２１、２２、２３、２４）の間に配置されるガイド部３０と、所定の条件によりガイド部３０を操作ノブの操作面に対して上下に移動させる制御部４０と、を有してスイッチ装置１０を構成する。これにより、４方向スイッチ等の分割タッチスイッチ、なぞりスイッチに切り替えることが可能となり、なぞり操作がしやすく操作性に優れたスイッチ装置を提供することができる。【選択図】図１
2020187421.tif 000002
【特許請求の範囲】
【請求項１】
複数の操作ノブと、
前記操作ノブの間に配置されるガイド部と、
所定の条件により前記ガイド部を前記操作ノブの操作面に対して上下に移動させる制御部と、
を有するスイッチ装置。
【請求項２】
前記操作ノブは、前記操作面へのタッチ検出、又は前記操作面への押下検出を行なうように構成されている、請求項１に記載のスイッチ装置。
【請求項３】
前記ガイド部は、前記操作面が操作のタッチ検出の場合は、前記制御部により、前記ガイド部が前記操作ノブの操作面よりも下位置に移動されている、請求項１又は２に記載のスイッチ装置。
【請求項４】
前記ガイド部は、前記操作面が操作の押下検出の場合は、前記制御部により、前記ガイド部が前記操作ノブの操作面よりも上位置に移動されている、請求項１から３のいずれか１項に記載のスイッチ装置。
【請求項５】
前記タッチ検出は、なぞり操作の検出である、請求項２から４のいずれか１項に記載のスイッチ装置。
【発明の詳細な説明】
【技術分野】
【０００１】
本発明は、スイッチ装置に関する。
【背景技術】
【０００２】
従来の技術として、車載搭載機能の設定や指示等の表示および操作に用いる表示装置の操作性を向上させた車載用のスイッチ装置が知られている（例えば、特許文献１参照）。
【０００３】
特許文献１のスイッチ装置は、車両機能の画像を表示させるタッチパネル式の表示画面が設けられた表示装置と、表示画面に表示された車両機能の画像に基づいて車両状態の変更操作をさせる操作手段と、車両機能の画像の表示制御をさせると共に操作手段の操作により車両機能の制御をさせる制御回路と、を備える車載用操作表示装置において、操作手段は、表示装置の表示画面に沿って移動操作可能に設けられた操作プレート部と、操作プレート部に設けられた突形状のスイッチ部を備えて構成されている。
【先行技術文献】
【特許文献】
【０００４】
【特許文献１】特開２０１３−２２０７３６号公報
【発明の概要】
【発明が解決しようとする課題】
【０００５】
特許文献１のスイッチ装置は、タッチパネル式の表示画面に沿って移動操作可能に設けられた操作プレート部と、操作プレート部に設けられた突形状のスイッチ部を備えて構成されている。これにより、車載搭載機能の設定や指示等の表示および操作に用いる表示装置の操作性を向上させる、とされているが、タッチパネル式の表示画面上を、例えば、なぞり操作する場合には、操作プレート部があるために、操作しにくい等の問題があった。
【０００６】
従って、本発明の目的は、なぞり操作がしやすく操作性に優れたスイッチ装置を提供することにある。
【課題を解決するための手段】
【０００７】
［１］本発明は、上記目的を達成するために、複数の操作ノブと、前記操作ノブの間に配置されるガイド部と、所定の条件により前記ガイド部を前記操作ノブの操作面に対して上下に移動させる制御部と、を有するスイッチ装置を提供する。
［２］前記操作ノブは、前記操作面へのタッチ検出、又は前記操作面への押下検出を行なうように構成されている、上記［１］に記載のスイッチ装置であってもよい。
［３］また、前記ガイド部は、前記操作面が操作のタッチ検出の場合は、前記制御部により、前記ガイド部が前記操作ノブの操作面よりも下位置に移動されている、上記［１］又は［２］に記載のスイッチ装置であってもよい。
［４］また、前記ガイド部は、前記操作面が操作の押下検出の場合は、前記制御部により、前記ガイド部が前記操作ノブの操作面よりも上位置に移動されている、上記［１］から［３］のいずれか１に記載のスイッチ装置であってもよい。
［５］また、前記タッチ検出は、なぞり操作の検出である、上記［２］から［４］のいずれか１に記載のスイッチ装置であってもよい。
【発明の効果】
【０００８】
本発明によれば、なぞり操作がしやすく操作性に優れたスイッチ装置を提供することができる。
【図面の簡単な説明】
【０００９】
【図１】図１（ａ）は、本発明の第１の実施の形態に係るスイッチ装置の平面図であり、図１（ｂ）は、図１（ａ）のＡ―Ａ断面を示す断面図である。
【図２】図２（ａ）は、スイッチ装置のガイド部が上に突出した状態を示す操作ノブとガイド部の立体斜視図であり、図２（ｂ）は、スイッチ装置のガイド部が下にへこんだ状態を示す操作ノブとガイド部の立体斜視図である。
【図３】図３は、実施の形態に係るスイッチ装置の一例が配置された車両内部の概略図である。
【図４】図４は、本実施の形態に係るスイッチ装置の制御ブロックを示すブロック図である。
【図５】図５は、本実施の形態に係るスイッチ装置の動作を示すフローチャートである。
【図６】図６（ａ）は、操作面が操作のタッチ検出、なぞり操作の検出を実行している場合の操作ノブへの操作状態を示すステアリング部の図であり、図６（ｂ）は、表示装置に表示されたタッチ操作、なぞり操作表示の一例を示す概略図である。
【図７】図７（ａ）は、操作面が操作の押下検出を実行している場合の操作ノブへの操作状態を示すステアリング部の図であり、図７（ｂ）は、表示装置に表示された押下操作表示の一例を示す概略図である。
【図８】図８（ａ）は、本発明の第２の実施の形態に係るスイッチ装置の平面図であり、図８（ｂ）は、第１ガイドと第２ガイドの両方が上に突出した状態を示す正面図であり、図８（ｃ）は、第１ガイドと第２ガイドの一方が上に突出した状態を示す正面図であり、図８（ｄ）は、第１ガイドと第２ガイドの両方が下にへこんだ状態を示す正面図である。
【発明を実施するための形態】
【００１０】
（本発明の実施の形態）
本発明の実施の形態に係るスイッチ装置１０は、図１（ａ）、（ｂ）、図２（ａ）、（ｂ）に示すように、複数の操作ノブ２０（２１、２２、２３、２４）と、操作ノブ２０（２１、２２、２３、２４）の間に配置されるガイド部３０と、所定の条件によりガイド部３０を操作ノブの操作面に対して上下に移動させる制御部４０と、を有して構成されている。操作ノブの操作面とは、例えば、操作ノブにタッチ操作、押下操作する場合に操作者の指が接触する操作ノブの表面である。
【００１１】
所定の条件とは、例えば、スイッチ装置のなぞり操作と押下操作との切替え条件であって、図３に示すように、本実施の形態を車両８に適用する場合、車両ＥＣＵで判断した切替え条件であって、車両ＥＣＵ側で生成されて制御部４０に出力される切替信号Ｓｃで規定される条件をいう。この切替信号Ｓｃに基づいて、スイッチ装置１０のスイッチ動作、このスイッチ動作に対応する表示の切り替えが実行される。
【００１２】
また、操作ノブ２０（２１、２２、２３、２４）の操作面２１ａ、２２ａ、２３ａ、２４ａに対して上下とは、操作面に対して操作する側を上方向（図１（ｂ）のＢ方向）、その逆方向を下方向（図１（ｂ）のＣ方向）という。本実施の形態では、スイッチ装置１０が車両８のステアリング８０に取り付けられる。この場合は、操作面（２１ａ、２２ａ、２３ａ、２４ａ）から操作者（運転者）側に突出する方向を上方向、操作面からへこむ方向を下方向という。
【００１３】
（第１の実施の形態）
本発明の第１の実施の形態に係るスイッチ装置１０は、図３に示すように、例えば、車両８のステアリング８０に装着され、ステアリングスイッチとして使用される。スイッチ装置１０は、例えば、図３に示すように、車両８のステアリング８０の左右に配置されている。このステアリング８０は、ステアリングシャフトが連結されるホーンパッド部８００と、ユーザが把持する部分であり、リング形状を有する把持部８０１と、ホーンパッド部８００と把持部８０１とを連結するスポーク部８０２ａ〜スポーク部８０２ｄと、を備えて概略構成されている。
【００１４】
ステアリング８０は、例えば、図３の紙面において間隔を空けて時計回りにスポーク部８０２ａ〜スポーク部８０２ｄが配置されている。図３の紙面のステアリング８０を時計に模した場合、およそ３時の位置にスポーク部８０２ａが位置すると共に、およそ９時の位置にスポーク部８０２ｄが位置している。
【００１５】
スイッチ装置１０は、例えば、スポーク部８０２ａ及びスポーク部８０２ｄが位置するホーンパッド部８００の搭載部８０３及び搭載部８０４に配置されている。このスイッチ装置１０は、車両８に搭載された電子機器の操作部として機能するように構成されている。またスイッチ装置１０は、例えば、タッチ操作がなされたスイッチに割り当てられた機能を画像として電気的に接続された表示装置に表示させるように構成されている。
【００１６】
この表示装置としては、例えば、図３に示すように、センターコンソール８１に配置されたメインモニタ８２、インストルメントパネル８３に配置されたサブモニタ８４、及びフロントガラス８５に画像を投影するヘッドアップディスプレイ８６などを用いることが可能である。本実施の形態の表示装置は、一例として、ヘッドアップディスプレイ８６である。
【００１７】
以下では、図３の紙面右側の搭載部８０３に配置されたスイッチ装置１０について説明する。
【００１８】
図１（ａ）に示すように、スイッチ装置１０は、４つの操作ノブ２１、２２、２３、２４と、４つの操作ノブのそれぞれの間に位置してそれぞれの操作面を区分するための、操作ノブ２１、２２、２３、２４の間に配置されるガイド部３０を備えて構成されている。なお、分割数は、４つには限られず、複数の分割であれば任意に設定可能である。
【００１９】
（操作ノブ２０、２１、２２、２３、２４）
操作ノブ２０は、複数であって、本実施の形態では、４つの操作ノブ２１、２２、２３、２４を備えている。各操作ノブ２１、２２、２３、２４は、図１（ｂ）に示すように、操作面２１ａ、２２ａ、２３ａ、２４ａに装着されたタッチ検出部２１ｂ、２２ｂ、２３ｂ、２４ｂが操作のタッチ検出を行なうように構成されている。
【００２０】
（タッチ検出センサ）
図１（ｂ）に示すように、タッチ検出センサであるタッチ検出部２１ｂ、２２ｂ、２３ｂ、２４ｂは、例えば、操作指の接触を検出するタッチセンサである。タッチセンサとしては、例えば、静電容量方式、抵抗膜方式、赤外線方式、ＳＡＷ方式等の公知のタッチ検出方式を用いることが可能である。本実施の形態に係るタッチセンサは、例えば、検出面に指が近接する又はタッチ（接触）することにより静電容量値の変化を検出することにより、近接又はタッチ位置を検出する静電容量方式のタッチセンサが使用できる。このタッチセンサは、検出電極がタッチ検出部２１ｂ、２２ｂ、２３ｂ、２４ｂに配置されている。
【００２１】
図４に示すように、タッチセンサは、検出電極と操作指との間に形成される静電容量値に基づいて検出されたタッチ操作信号Ｓｔ１、Ｓｔ２、Ｓｔ３、Ｓｔ４を周期的に制御部４０に出力するように構成されている。また、各タッチ検出部２１ｂ、２２ｂ、２３ｂ、２４ｂのタッチ操作信号Ｓｔ１、Ｓｔ２、Ｓｔ３、Ｓｔ４は、独立して制御部４０に出力されるので、制御部４０はこれらのタッチ操作信号Ｓｔ１、Ｓｔ２、Ｓｔ３、Ｓｔ４に基づいて、各操作ノブ２１、２２、２３、２４のタッチ判定を行なうことができる。また、制御部４０はこれらのタッチ操作信号Ｓｔ１、Ｓｔ２、Ｓｔ３、Ｓｔ４に基づく時系列処理により、操作ノブのなぞり検出を行なうことができる。
【００２２】
（押下検出センサ）
また、押下検出センサである各操作ノブ２１、２２、２３、２４の下部に取り付けられた押下検出部２１ｃ、２２ｃ、２３ｃ、２４ｃは、例えば、操作指による押圧を検出する荷重センサである。荷重センサは、例えば、静電容量方式の圧力センサ、ひずみゲージによる荷重センサ、機械式オンオフセンサ等が使用できる。図４に示すように、押下検出部２１ｃ、２２ｃ、２３ｃ、２４ｃは、プッシュ信号Ｓｐ１、Ｓｐ２、Ｓｐ３、Ｓｐ４を周期的に制御部４０に出力するように構成されている。また、各操作ノブ２１、２２、２３、２４のプッシュ信号Ｓｐ１、Ｓｐ２、Ｓｐ３、Ｓｐ４は、独立して制御部４０に出力されるので、制御部４０はこれらのプッシュ信号Ｓｐ１、Ｓｐ２、Ｓｐ３、Ｓｐ４に基づいて、各操作ノブ２１、２２、２３、２４の押下検出を行なうことができる。
【００２３】
（ガイド部３０）
ガイド部３０は、操作ノブ２１と２４の間に配置されるガイド部材３１、操作ノブ２２と２３の間に配置されるガイド部材３２、操作ノブ２１と２３の間に配置されるガイド部材３３、操作ノブ２２と２４の間に配置されるガイド部材３４、及び、各ガイド部材の中心軸となり、上下方向にスライドする軸部３５とから、概略構成されている。
【００２４】
軸部３５には、回転モータ６０のピニオンギア６１に噛合するラックギア３９が形成され、回転モータ６０（ピニオンギア）の回転により、ガイド部３０全体が、軸部３５の軸方向にスライド移動可能とされている。なお、軸部３５は、筐体５０に形成された回転軸穴５１にスライド移動可能に支持される。また、各ガイド部材３１、３２、３３、３４は、筐体５０に形成されたスライド溝５２にスライド移動可能に支持されている。
【００２５】
回転モータ６０は、例えば、ギヤードモータが使用でき、微小回転によるガイド部３０の上下方向へのスライド移動制御が可能である。
【００２６】
ガイド部３０の上下方向へのスライド移動制御は、図示は省略するが、ガイド部３０のスライド方向において、ガイド部が上に突出した状態、へこんだ状態を、例えば、リミットスイッチ（図示省略）により検出する。このリミットスイッチでの検出に基づいてシーケンス制御することができる。これにより、ガイド部３０が上に突出した状態、また、へこんだ状態へスライド移動制御することができる。
【００２７】
あるいは、回転モータ６０の回転角の検出により、ガイド部３０が上に突出した状態、また、へこんだ状態へオープン制御することにより、スライド移動制御することができる。
【００２８】
ガイド部３０は、操作面へのタッチ検出の場合は、ガイド部３０、すなわち、ガイド部材３１、３２、３３、３４が操作ノブの操作面２１ａ、２２ａ、２３ａ、２４ａよりも下位置に移動されている。操作面へのタッチ検出とは、例えば、操作ノブにタッチ操作、また、タッチ操作を連続的に行なうなぞり操作する場合である。なぞり操作をする場合において、ガイド部３０、すなわち、ガイド部材３１、３２、３３、３４が操作ノブの操作面２１ａ、２２ａ、２３ａ、２４ａよりも下位置に移動されていると、なぞり操作の操作中に操作の障害となるものがないので、操作性が向上することになる。
【００２９】
ガイド部３０は、操作面への押下検出の場合は、ガイド部３０、すなわち、ガイド部材３１、３２、３３、３４が操作ノブの操作面２１ａ、２２ａ、２３ａ、２４ａよりも上位置に移動されている。押下操作をする場合において、ガイド部３０、すなわち、ガイド部材３１、３２、３３、３４が操作ノブの操作面２１ａ、２２ａ、２３ａ、２４ａよりも上位置に移動されていると、操作ノブ２１、２２、２３、２４がガイド部材３１、３２、３３、３４によって区画されるので、どの操作ノブを押下しているかが明確となり、操作性が向上することになる。
【００３０】
（制御部４０）
図４は、本実施の形態に係るスイッチ装置の制御ブロックを示すブロック図である。制御部４０は、例えば、記憶されたプログラムに従って、取得したデータに演算、加工などを行うＣＰＵ（Central Processing Unit）、半導体メモリであるＲＡＭ（Random Access Memory）及びＲＯＭ（Read Only Memory）などから構成されるマイクロコンピュータである。このＲＯＭには、例えば、制御部４０が動作するためのプログラムが格納されている。ＲＡＭは、例えば、一時的に演算結果などを格納する記憶領域として用いられる。
【００３１】
図４に示すように、制御部４０には、前述のように、タッチ検出部２１ｂ、２２ｂ、２３ｂ、２４ｂのタッチ操作信号Ｓｔ１、Ｓｔ２、Ｓｔ３、Ｓｔ４、操作ノブ２１、２２、２３、２４のプッシュ信号Ｓｐ１、Ｓｐ２、Ｓｐ３、Ｓｐ４が入力される。また、制御部４０には、車両ＥＣＵ側で生成されてスイッチ装置１０のなぞり操作と押下操作との切替え条件を規定する切替信号Ｓｃが入力される。また、制御部４０からは、駆動信号Ｓｄ、操作信号ＳＳ１、ＳＳ２、ＳＳ３、ＳＳ４を出力する。
【００３２】
制御部４０は、切替信号Ｓｃに基づいて、ガイド部３０の上下方向へのスライド移動制御を行なうための駆動信号Ｓｄを回転モータ６０に出力する。また、切替信号Ｓｃに基づいて、タッチ操作信号Ｓｔ１、Ｓｔ２、Ｓｔ３、Ｓｔ４に基づく時系列処理により、操作ノブのなぞり検出、または、プッシュ信号Ｓｐ１、Ｓｐ２、Ｓｐ３、Ｓｐ４に基づいて、各操作ノブ２１、２２、２３、２４の押下検出を行なう。
【００３３】
（スイッチ装置１０の動作）
図５は、本実施の形態に係るスイッチ装置の動作を示すフローチャートである。以下、これに基づいて、スイッチ装置１０の動作を説明する。
【００３４】
（Ｓｔｅｐ１）
制御部４０は、切替信号Ｓｃを受け付けたかどうかを判断する。切替信号Ｓｃを受け付けた場合は、Ｓｔｅｐ２へ進み（Ｓｔｅｐ１：Ｙｅｓ）、受け付けない場合は、Ｓｔｅｐ１に戻る（Ｓｔｅｐ１：Ｎｏ）。
【００３５】
（Ｓｔｅｐ２）
制御部４０は、切替信号Ｓｃが４方向スイッチ画面かどうかを判断する。４方向スイッチ画面の場合は、Ｓｔｅｐ３へ進み（Ｓｔｅｐ２：Ｙｅｓ）、４方向スイッチ画面でない場合は、Ｓｔｅｐ５へ進む（Ｓｔｅｐ２：Ｎｏ）。ここで、図３で示したヘッドアップディスプレイ８６に投影される画面は、切替信号Ｓｃにより、図６（ａ）に示す４方向スイッチ画面、又は、図７（ａ）に示すなぞり画面に切り替えられる。ヘッドアップディスプレイ８６に投影されている初期画面は、４方向スイッチ画面、なぞり画面、他の画面、又は無表示である。
【００３６】
（Ｓｔｅｐ３）
制御部４０は、ヘッドアップディスプレイ８６の投影画面を４方向スイッチ画面に切り替える。また、制御部４０は、回転モータ６０を駆動して、ガイド部３０を操作面の上にスライド移動制御する。これにより、ガイド部３０が操作面の上に突出した状態にすることができる。
【００３７】
（Ｓｔｅｐ４）
制御部４０は、４方向スイッチ制御を実行する。
【００３８】
例えば、図６（ｂ）に示すように、操作者が、指９により、操作ノブ２４に押下操作をした場合、制御部４０は、操作ノブ２４に関するプッシュ信号ＳＰ４が押下しきい値以上である場合、操作ノブ２４の操作面２４ａに押下操作がなされたと判定する。そして制御部４０は、操作ノブ２４に押下操作がなされたことを示す操作信号ＳＳ４を接続された電子機器に出力する。電子機器は、例えば、操作信号ＳＳ４に基づいて、電子機器の動作を制御する。また、電子機器は、図６（ａ）に示すヘッドアップディスプレイ８６の４方向スイッチ画面の表示８６４を、例えば、ハイライト表示等により変化させることができる。
【００３９】
同様にして、制御部４０は、プッシュ信号ＳＰ１に基づいて操作ノブ２１に押下操作がされたと判定した場合は、操作ノブ２１に押下操作がなされたことを示す操作信号ＳＳ１を接続された電子機器に出力する。電子機器は、例えば、操作信号ＳＳ１に基づいて、電子機器の動作を制御する。また、電子機器は、図６（ａ）に示すヘッドアップディスプレイ８６の４方向スイッチ画面の表示８６１を、例えば、ハイライト表示等により変化させることができる。
【００４０】
同様にして、制御部４０は、プッシュ信号ＳＰ２に基づいて操作ノブ２２に押下操作がされたと判定した場合は、操作ノブ２２に押下操作がなされたことを示す操作信号ＳＳ２を接続された電子機器に出力する。電子機器は、例えば、操作信号ＳＳ２に基づいて、電子機器の動作を制御する。また、電子機器は、図６（ａ）に示すヘッドアップディスプレイ８６の４方向スイッチ画面の表示８６２を、例えば、ハイライト表示等により変化させることができる。
【００４１】
同様にして、制御部４０は、プッシュ信号ＳＰ３に基づいて操作ノブ２３に押下操作がされたと判定した場合は、操作ノブ２３に押下操作がなされたことを示す操作信号ＳＳ３を接続された電子機器に出力する。電子機器は、例えば、操作信号ＳＳ３に基づいて、電子機器の動作を制御する。また、電子機器は、図６（ａ）に示すヘッドアップヘッドアップディスプレイ８６の４方向スイッチ画面の表示８６３を、例えば、ハイライト表示等により変化させることができる。
【００４２】
（Ｓｔｅｐ５）
制御部４０は、ヘッドアップディスプレイ８６の投影画面をなぞりスイッチ画面に切り替える。また、制御部４０は、回転モータ６０を駆動して、ガイド部３０を操作面の下にスライド移動制御する。これにより、ガイド部３０が操作面の下にへこんだ状態にすることができる。
【００４３】
（Ｓｔｅｐ６）
制御部４０は、なぞりスイッチ制御を実行する。
【００４４】
例えば、操作者が、指９により、図７（ｂ）に示すように、時計回転方向になぞり操作をした場合、例えば、操作ノブ２１のタッチ操作信号Ｓｔ１、操作ノブ２４のタッチ操作信号Ｓｔ４、操作ノブ２２のタッチ操作信号Ｓｔ２が連続的に検出される。制御部４０は、これに基づいて、時計回転方向のなぞり操作信号Ｓｎ１を接続された電子機器に出力する。なお、なぞり操作信号Ｓｎ１には、なぞりの方向と共になぞりの量を含めることができる。電子機器は、例えば、なぞり操作信号Ｓｎ１に基づいて、電子機器の動作を制御する。また、電子機器は、図７（ａ）に示すヘッドアップディスプレイ８６のなぞりスイッチ画面の時計方向表示８６５を、例えば、ハイライト表示等により変化させることができる。
【００４５】
同様にして、操作者が、指９により、反時計回転方向になぞり操作をした場合、例えば、操作ノブ２１のタッチ操作信号Ｓｔ１、操作ノブ２３のタッチ操作信号Ｓｔ３、操作ノブ２２のタッチ操作信号Ｓｔ２が連続的に検出される。制御部４０は、これに基づいて、反時計回転方向のなぞり操作信号Ｓｎ２を接続された電子機器に出力する。なお、なぞり操作信号Ｓｎ２には、なぞりの方向と共になぞりの量を含めることができる。電子機器は、例えば、なぞり操作信号Ｓｎ２に基づいて、電子機器の動作を制御する。また、電子機器は、図７（ａ）に示すヘッドアップディスプレイ８６のなぞりスイッチ画面の反時計方向表示８６６を、例えば、ハイライト表示等により変化させることができる。
【００４６】
（本発明の第２の実施の形態）
図８（ａ）は、本発明の第２の実施の形態に係るスイッチ装置の平面図であり、図８（ｂ）は、第１ガイドと第２ガイドの両方が上に突出した状態を示す正面図であり、図８（ｃ）は、第１ガイドと第２ガイドの一方が上に突出した状態を示す正面図であり、図８（ｄ）は、第１ガイドと第２ガイドの両方が下にへこんだ状態を示す正面図である。
【００４７】
本発明の第２の実施の形態は、第１の実施の形態に係るスイッチ装置におけるガイド部３０を独立して上下にスライド移動制御可能にした構成である。これにより、なぞりスイッチと分割スイッチの変更の自由度が大きくなる。
【００４８】
図８（ａ）において、操作ノブ２５、２６、２７は、それぞれ筐体５３に収容されている。操作ノブ２５と操作ノブ２６の間には、ガイド部３６が設けられ、図示省略するモータ等の駆動部により、図８（ｂ）の上下方向にスライド移動制御される。同様に、操作ノブ２６と操作ノブ２７の間には、ガイド部３７が設けられ、図示省略するモータ等の駆動部により、図８（ｂ）の上下方向に独立してスライド移動制御される。タッチ検出センサ、押下検出センサ、制御部等の構成は、第１の実施の形態と同様であるので、説明を省略する。
【００４９】
図８（ｂ）に示すように、ガイド部３６、３７は共に、操作ノブ２５、２６、２７の操作面２８の上に突出した状態にスライド移動制御されている。このような状態では、スイッチ装置１１は、操作ノブ２５、２６、２７をそれぞれの押下検出に基づいて、分割スイッチとして使用することができる。図８（ａ）で示す３分割スイッチでは、例えば、操作ノブ２６を中心にした左右方向スイッチとすることができる。
【００５０】
図８（ｃ）に示すように、ガイド部３６は、操作ノブ２５、２６、２７の操作面２８の上に突出した状態にスライド移動制御されている。また、ガイド部３７は、操作ノブ２５、２６、２７の操作面２８の下にへこんだ状態にスライド移動制御されている。このような状態では、スイッチ装置１１は、操作ノブ２５の押下検出に基づくスイッチとして使用することができる。また、操作ノブ２６、２７のタッチ検出に基づいて、例えば、操作ノブ２６と操作ノブ２６によるなぞり方向を検出するなぞりスイッチとすることができる。
【００５１】
図８（ｄ）に示すように、ガイド部３６、３７は共に、操作ノブ２５、２６、２７の操作面２８の下にへこんだ状態にスライド移動制御されている。このような状態では、スイッチ装置１１は、操作ノブ２５、２６、２７のタッチ検出に基づいて、例えば、操作ノブ２５、２６、２７によるなぞり方向を検出するなぞりスイッチとすることができる。
【００５２】
（本発明の実施の形態の効果）
上記のような構成により、次のような効果を有する。
（１）本発明の実施の形態に係るスイッチ装置１０は、複数の操作ノブ２０（２１、２２、２３、２４）と、操作ノブ２０（２１、２２、２３、２４）の間に配置されるガイド部３０と、所定の条件によりガイド部３０を操作ノブの操作面に対して上下に移動させる制御部４０と、を有して構成されている。ガイド部３０を操作面に対して上にスライド移動制御、または、下にスライド移動制御することができ、４方向スイッチ等の分割スイッチ、なぞりスイッチに切り替えることが可能となる。これにより、なぞり操作がしやすく操作性に優れたスイッチ装置を提供することができる。
（２）第２の実施の形態では、ガイド部３０を独立して上下にスライド移動制御可能にしたので、なぞりスイッチと分割スイッチの変更の自由度が大きくなるという効果を有する。
【００５３】
以上、本発明の実施の形態を説明したが、この実施の形態は、一例に過ぎず、特許請求の範囲に係る発明を限定するものではない。この新規な実施の形態は、その他の様々な形態で実施されることが可能であり、本発明の要旨を逸脱しない範囲で、種々の省略、置き換え、変更等を行うことができる。また、実施の形態の中で説明した特徴の組合せの全てが発明の課題を解決するための手段に必須であるとは限らない。さらに、実施の形態は、発明の範囲及び要旨に含まれるとともに、特許請求の範囲に記載された発明とその均等の範囲に含まれる。
【符号の説明】
【００５４】
８…車両、９…指
１０、１１…スイッチ装置
２０、２１、２２、２３、２４…操作ノブ、２１ａ、２２ａ、２３ａ、２４ａ…操作面、２１ｂ、２２ｂ、２３ｂ、２４ｂ…タッチ検出部、２１ｃ、２２ｃ、２３ｃ、２４ｃ…押下検出部、２５、２６、２７…操作ノブ、２８…操作面
３０…ガイド部、３１、３２、３３、３４…ガイド部材、３５…軸部、３６、３７…ガイド部、３９…ラックギア
４０…制御部
５０…筐体、５１…回転軸穴、５２…スライド溝、５３…筐体
６０…回転モータ、６１…ピニオンギア
８０…ステアリング、８１…センターコンソール、８２…メインモニタ、８３…インストルメントパネル、８４…サブモニタ、８５…フロントガラス、８６…ヘッドアップディスプレイ
８００…ホーンパッド部、８０１…把持部、８０２ａ、８０２ｄ…スポーク部、８０３、８０４…搭載部
８６１、８６２、８６３、８６４…表示、８６５…時計方向表示、８６６…反時計方向表示
Ｓｃ…切替信号
Ｓｄ…駆動信号
Ｓｎ１、Ｓｎ２…なぞり操作信号
Ｓｐ１、Ｓｐ２、Ｓｐ３、Ｓｐ４…プッシュ信号
Ｓｔ１、Ｓｔ２、Ｓｔ３、Ｓｔ４…タッチ操作信号
ＳＳ１、ＳＳ２、ＳＳ３、ＳＳ４…操作信号
【図１】
2020187421.tif 000003
【図２】
2020187421.tif 000004
【図３】
2020187421.tif 000005
【図４】
2020187421.tif 000006
【図５】
2020187421.tif 000007
【図６】
2020187421.tif 000008
【図７】
2020187421.tif 000009
【図８】
2020187421.tif 000010